(57)【特許請求の範囲】
【請求項１】
対象物を加熱処理し、発生したガス成分をコンデンサーで冷却液化する炭化システムであって、加熱処理の際に発生する燃料の燃焼時の二次汚染物もコンデンサーで冷却液化するようにしたことを特徴とする炭化システム。
【請求項２】
付帯する生ゴミ処理プラントを加熱処理して発生したガス成分を前記コンデンサーにより冷却液化するようにした請求項１記載の炭化システム。
【請求項３】
有用物質としての回収が不能な成分は高温で完全に焼却するようにした請求項１又は２記載の炭化システム。
【請求項４】
加熱処理の際の燃料の燃焼残渣は高温で完全に焼却するようにした請求項１乃至３のいずれかに記載の炭化システム。
【請求項５】
前記コンデンサーで残渣として残ったものは高温で完全に焼却するようにした請求項１乃至４のいずれかに記載の炭化システム。
【請求項６】
焼却する際に排出されるガス成分は前記コンデンサーで冷却液化させるようにした請求項３乃至５のいずれかに記載の炭化システム。
【発明の詳細な説明】
【０００１】
【発明の属する技術分野】
この発明は、対象物を加熱処理して有用物質を取り出し有害物を外部に出さず環境汚染を防ぐ炭化システムに関するものである。
【０００２】
【従来の技術】
従来より、対象物を加熱処理して有用物質を取り出す炭化システムがある。
【０００３】
この炭化システムでは、木質系廃材・廃棄物などの対象物を熱分解炉で加熱処理（熱分解）し、発生した木煙をコンデンサー（冷却器）で冷却液化する。この蒸留液化物は分留用ボイラーで分留し、低沸点留分、木酢液、高沸点留分残渣などに分ける。
【０００４】
この炭化システムによると、前記木酢液留分からは精製木酢液を取り出すことができ、このように木炭や木酢液などの有用物質を得ることができる。
【０００５】
ところで、対象物を加熱処理する際には燃料の燃焼時の煙などの二次汚染物が発生するが、外部環境に有害な物質や有害の可能性がある物質はできるだけ放出したくないという問題があった。
【０００６】
【発明が解決しようとする課題】
そこでこの発明は、従来よりも外部環境に有害な物質を放出しない炭化システムを提供しようとするものである。
【０００７】
【課題を解決するための手段】
前記課題を解決するためこの発明では次のような技術的手段を講じている。
▲１▼  この発明の炭化システムは、対象物を加熱処理し、発生したガス成分をコンデンサーで冷却液化するものであって、加熱処理の際に発生する燃料の燃焼時の二次汚染物もコンデンサーで冷却液化するようにしたことを特徴とする。
【０００８】
この炭化システムでは、加熱処理の際に発生する燃料の燃焼時の二次汚染物もコンデンサーで冷却液化するようにしており、液化した状態で回収することができるので当該汚染物を大気中に排気しないで済む。
▲２▼  付帯する生ゴミ処理プラントを加熱処理して発生したガス成分を前記コンデンサーにより冷却液化するようにしてもよい。
【０００９】
このように構成すると、付帯する生ゴミ処理プラント（生ゴミ堆肥化プラントや生ゴミ炭化プラントなど）で発生したガス成分を冷却液化して有用成分を取り出すことができる。
▲３▼  有用物質としての回収が不能な成分は高温で完全に焼却するようにしてもよい。このように、有用物質を取り出したうえで回収が最終的に不能な残渣を高温で完全に焼却すると、従来よりもさらに環境にやさしいものとなる。
▲４▼  加熱処理の際の燃料の燃焼残渣は高温で完全に焼却するようにしてもよく、前記コンデンサーで残渣として残ったものは高温で完全に焼却するようにしてもよい。このように構成すると、従来よりもさらに環境にやさしいものとなる。
▲５▼  焼却する際に排出されるガス成分は前記コンデンサーで冷却液化させるようにしてもよい。
【００１０】
焼却炉の処理能力によって処理可能温度が低く完全に燃えて無害なものになりきれないなどは特に、これを繰り返すことよって二次汚染物を液化することができ外部に有害な物質を出さないようにすることができる。
【００１１】
【発明の実施の形態】
以下、この発明の実施の形態を図面を参照して説明する。
【００１２】
図１に示すように、この実施形態の炭化システムは、木質系廃材・廃棄物などの対象物を木質系熱分解炉で加熱処理（熱分解）し、発生した木煙などのガス成分をコンデンサー（冷却器）で冷却液化している。コンデンサーの数は、１つでも２つ以上に設定してもよい。
【００１３】
前記コンデンサーでの蒸留液化物は分留用ボイラーで加熱して分留し、低沸点留分、木酢液、高沸点留分残渣などに分ける。前記木酢液留分からは精製木酢液を取り出し、このように木炭や木酢液などの有用物質を得ることができる。
【００１４】
また、木質系熱分解炉における加熱処理の際に発生する燃料の燃焼時の二次汚染物（重油を燃やしたバーナーの煙など）もコンデンサーで冷却液化するようにしている（図示▲１▼Ａの燃料燃焼時の煙）。分留用ボイラーにおける加熱処理の際に発生する燃料の燃焼時の二次汚染物もコンデンサーで冷却液化するようにしている（図示▲１▼Ｂの燃料燃焼時の煙）。
【００１５】
さらに、付帯する生ゴミ処理プラント（生ゴミ堆肥化プラントや生ゴミ炭化プラントなど）で生ゴミを加熱処理して発生した不要なガス成分も、前記コンデンサーにより冷却液化するようにしている（図示▲１▼Ｃの燃料燃焼時の煙）。
【００１６】
一方、木質系熱分解炉における加熱処理の際の燃料の燃焼残渣（図示▲２▼Ａの燃料の燃焼残渣）や、前記生ゴミ処理プラントにおける加熱処理の際の燃料の燃焼残渣（図示▲２▼Ｂの燃料の燃焼残渣）、分留用ボイラー（図示▲２▼Ｃの燃料の燃焼残渣）やコンデンサー（図示▲３▼の液化時の固形残渣）で残渣として残ったものは、焼却炉に入れて高温で完全に焼却するようにしている。
【００１７】
また有用物質としての回収が不能な成分も、前記焼却炉により高温で完全に焼却するようにしている。ここで、これらを焼却炉にて焼却する際に排出されるガス成分は前記コンデンサーに導いて冷却液化させるようにしている（図示▲４▼の燃焼時に生成する気体など）。
【００１８】
次に、この実施形態の炭化システムの使用状態を説明する。
【００１９】
この炭化システムでは、加熱処理の際に発生する燃料の燃焼時の二次汚染物（図示▲１▼Ａの燃料燃焼時の煙）もコンデンサーで冷却液化するようにしており、液化した状態で回収することができるので当該汚染物を大気中に排気しないで済む。すなわち、二次汚染物も液化して回収し大気中に排気しないで済むので、従来よりも外部環境に有害な物質や有害の可能性がある物質を放出しないという利点がある。
【００２０】
また分留用ボイラーにおける加熱処理の際に発生する燃料の燃焼時の二次汚染物（図示▲１▼Ｂの燃料燃焼時の煙）や、付帯する生ゴミ処理プラントを加熱処理して発生したガス成分（図示▲１▼Ｃの燃料燃焼時の煙）も前記コンデンサーにより冷却液化するようにしたので、従来よりも外部環境に有害な物質や有害の可能性がある物質を放出しないと共に生ゴミ処理プラントで発生したガス成分等を冷却液化して有用成分を取り出すことができるという利点がある。
【００２１】
さらに、加熱処理の際の燃料の燃焼残渣（図示▲２▼Ａの燃料の燃焼残渣）や、生ゴミ処理プラントにおける加熱処理の際の燃料の燃焼残渣（図示▲２▼Ｂの燃料の燃焼残渣）、分留用ボイラー（図示▲２▼Ｃの燃料の燃焼残渣）やコンデンサーで残渣として残ったもの（図示▲３▼の液化時の固形残渣）は焼却炉において高温で完全に焼却するようにしているので、従来よりもさらに環境にやさしいという利点がある。
【００２２】
有用物質としての回収が不能な成分は高温で完全に焼却するようにしたので、有用物質を取り出したうえで回収が最終的に不能な残渣を高温で完全に焼却すると、従来よりもさらに環境にやさしいものとなるという利点がある。
【００２３】
そのうえ、前記焼却炉で焼却する際に排出されるガス成分もコンデンサーで冷却液化させるようにしており（図示▲４▼の燃焼時に生成する気体など）、焼却炉の処理能力によって処理可能温度が低く完全に燃えて無害なものになりきれないなどは特に、これらの工程を繰り返すことによって二次汚染物を液化することができ外部に有害な物質を出さないようにすることができるという利点がある。
【００２４】
このように、この炭化システムは全システムにおいて閉鎖システムをとっており、外部に有害な物質や有害の可能性がある物質は放出されないという非常に優れた利点がある。
【００２５】
【発明の効果】
この発明は上述のような構成であり、次の効果を有する。
【００２６】
二次汚染物も液化して回収し大気中に排気しないで済むので、従来よりも外部環境に有害な物質を放出しない炭化システムを提供することができる。
【図面の簡単な説明】
【図１】この発明の炭化システムの実施形態を説明する図。
【図１】
0003579792.tif 000002